(57)【特許請求の範囲】
【請求項１】
遊技用媒体を用いて遊技を行う遊技機において、
当該遊技機についての少なくとも一部の機能を制御する制御基板と、
前記制御基板を被包する被包手段と、
前記制御基板とは別体で、当該制御基板に接続ケーブルを介して電気的に接続される被対象品と、
を備え、
前記制御基板は、前記接続ケーブルの前記制御基板側のコネクタが接続されるコネクタ部を有する接続部品を備え、
前記被包手段は、当該被包手段の内部に収納された状態における前記制御基板の前記接続部品に対応する箇所に、前記接続ケーブルの前記制御基板側のコネクタが挿入可能な挿入開口部を備え、
前記接続部品は、前記コネクタ部に接続される前記接続ケーブルの挿入方向に向いて開口した、硬化材料の充填を受ける受け部を備え、
前記被包手段は、前記挿入開口部から当該被包手段の内部側に突出する突出部を備え、
前記突出部が前記受け部内に位置する状態で、前記被包手段の前記挿入開口部と前記制御基板の前記接続部品との間の隙間を封止可能としている
ことを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばパチンコ機がある。このパチンコ機は、例えば、当該パチンコ機を制御する制御基板を基板ケースの中に収納することで、制御基板に対する不正行為の防止を図ろうとしているものがある。また、このパチンコ機は遊技球が打ち込まれる遊技領域を備えており、遊技盤には遊技球が入賞可能な各種の入賞装置が配設されている。遊技球が入賞装置に入賞すると、この入賞装置に設けられた入賞検出センサで当該入賞を検出し、この検出信号が制御基板に出力され、制御基板はこの検出信号に基づいて所定の処理（例えば、図柄表示装置に図柄を変動表示させることに関する処理や、賞球払出しに関する処理など）を行うようになっている（例えば、特許文献１参照）。
【先行技術文献】
【特許文献】
【０００３】
【特許文献１】特開平９−７００号公報（第３−４頁，第１図）
【発明の概要】
【発明が解決しようとする課題】
【０００４】
しかしながら、このような構成を有する従来例の場合には、次のような問題がある。
【０００５】
すなわち、従来のパチンコ機では、例えば、制御基板には、入賞装置の入賞検出センサと接続するためのコネクタが実装されており、制御基板が被包手段（基板ケース）中に収納された状態でこの制御基板と入賞検出センサとが接続可能となるように、基板ケースの対応する箇所には、例えば、制御基板のコネクタの外周よりも少し大きい開口部が形成されており、制御基板のコネクタの挿入口側の部分が基板ケースの開口部から突き出た状態で制御基板が基板ケースに収納されている。この基板ケースの開口部と制御基板のコネクタとの間はそれらのクリアランスの関係上、隙間が生じてしまう。
【０００６】
そのため、この隙間（基板ケースの開口部と制御基板のコネクタとの間のすいている部分）から当該ケース内の制御基板に不正にアクセスすることによる不正行為が行われるおそれがある。
【０００７】
本発明は、このような事情に鑑みてなされたものであって、制御基板に対する不正対策に優れた遊技機を提供することを目的とする。
【課題を解決するための手段】
【０００８】
この発明は、このような目的を達成するために、次のような構成をとる。
【０００９】
すなわち、請求項１に記載の発明は、
遊技用媒体を用いて遊技を行う遊技機において、
当該遊技機についての少なくとも一部の機能を制御する制御基板と、
前記制御基板を被包する被包手段と、
前記制御基板とは別体で、当該制御基板に接続ケーブルを介して電気的に接続される被対象品と、
を備え、
前記制御基板は、前記接続ケーブルの前記制御基板側のコネクタが接続されるコネクタ部を有する接続部品を備え、
前記被包手段は、当該被包手段の内部に収納された状態における前記制御基板の前記接続部品に対応する箇所に、前記接続ケーブルの前記制御基板側のコネクタが挿入可能な挿入開口部を備え、
前記接続部品は、前記コネクタ部に接続される前記接続ケーブルの挿入方向に向いて開口した、硬化材料の充填を受ける受け部を備え、
前記被包手段は、前記挿入開口部から当該被包手段の内部側に突出する突出部を備え、
前記突出部が前記受け部内に位置する状態で、前記被包手段の前記挿入開口部と前記制御基板の前記接続部品との間の隙間を封止可能としている
ことを特徴とするものである。
【発明の効果】
【００１０】
この発明に係る遊技機によれば、制御基板に対する不正対策に優れた遊技機を提供することができる。
【図面の簡単な説明】
【００１１】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】主制御装置の構成を示す分解斜視図である。
【図７】作動口スイッチが接続される主制御装置の斜視図である。
【図８】ボックスカバーの閉じる前の状態を示す斜視図である。
【図９】主制御基板のコネクタの構成を示す概略斜視図である。
【図１０】（ａ）は主制御基板のコネクタの平面図、（ｂ）はコネクタの後面図、（ｃ）はコネクタの左側面図、（ｄ）はコネクタの前面図である。
【図１１】（ａ）は主制御基板のコネクタの平面図、（ｂ）はコネクタの後面図、（ｃ）はコネクタの底面図である。
【図１２】（ａ）は主制御基板のコネクタの図１０（ａ）に示したＡ−Ａ線断面図、（ｂ）はコネクタに接続ケーブルのコネクタが挿入された状態を示す概略断面図である。
【図１３】（ａ）は主制御基板にコネクタが実装される前の状態を示す概略断面図、（ｂ）は主制御装置のコネクタの部分についての概略断面図である。
【図１４】挿入開口部とコネクタの受け皿との位置関係を示す図である。
【図１５】（ａ）は実施例２のコネクタの平面図、（ｂ）はコネクタの後面図、（ｃ）はコネクタの左側面図、（ｄ）はコネクタの前面図である。
【図１６】（ａ）は実施例２のコネクタの平面図、（ｂ）はコネクタの後面図、（ｃ）はコネクタの底面図である。
【図１７】（ａ）は実施例２のコネクタの図１５（ａ）に示したＢ−Ｂ線断面図、（ｂ）はコネクタに接続ケーブルのコネクタが挿入された状態を示す概略断面図である。
【図１８】実施例２の挿入開口部とコネクタの受け皿との位置関係を示す図である。
【図１９】実施例とは別の実施例の主制御装置のコネクタの部分についての概略断面図である。
【発明を実施するための形態】
【００１２】
なお、本明細書は、次のような遊技機に係る発明も開示している。
【００１３】
（０）  遊技用媒体を用いて遊技を行う遊技機において、
当該遊技機についての少なくとも一部の機能を制御する制御基板と、
前記制御基板を被包する被包手段と、
前記制御基板とは別体で、当該制御基板に接続ケーブルを介して電気的に接続される被対象品と、
を備え、
前記制御基板は、前記接続ケーブルの前記制御基板側のコネクタが接続されるコネクタ部を有する接続部品を備え、
前記コネクタ部は、その一端側に、前記接続ケーブルの前記制御基板側のコネクタが挿入される挿入口を備え、かつ、その他端側に、前記制御基板と接続するための端子部を備えるとともに、その外周で他端から離れた所定箇所に、前記接続ケーブルの前記制御基板側のコネクタを係止する係止部を備え、
前記被包手段は、当該被包手段の内部に収納された状態における前記制御基板の前記接続部品に対応する箇所に、前記接続ケーブルの前記制御基板側のコネクタが挿入可能な挿入開口部を備え、
前記接続部品は、前記コネクタ部の外周で前記係止部よりも他端側の箇所に、前記コネクタ部の一端側の方に開口した、硬化材料の充填を受ける受け皿を備え、
前記受け皿は、前記係止部の対応する箇所に、硬化材料の充填がされない非充填部を備え、
前記被包手段は、前記挿入開口部から当該被包手段の内部側に突出し、かつ、その突出した先端側が前記非充填部を除いて前記受け皿内に位置する突出部を備えている
ことを特徴とする遊技機。
前記（０）に記載の発明によれば、被包手段は、遊技機についての少なくとも一部の機能を制御する制御基板を被包する。被対象品は、制御基板とは別体のものであり、制御基板に接続ケーブルを介して電気的に接続される。接続ケーブルの制御基板側のコネクタは、制御基板の接続部品のコネクタ部に接続される。コネクタ部の一端側の挿入口には、接続ケーブルの制御基板側のコネクタが挿入される。コネクタ部の他端側の端子部は、制御基板と接続するためのものである。コネクタ部の外周で他端から離れた所定箇所の係止部は、接続ケーブルの制御基板側のコネクタを係止する。被包手段の挿入開口部は、当該被包手段の内部に収納された状態における制御基板の接続部品に対応する箇所に設けられ、接続ケーブルの制御基板側のコネクタが挿入可能となっている。受け皿は、接続部品でのコネクタ部の外周で係止部よりも他端側の箇所で、コネクタ部の一端側の方に開口して設けられており、硬化材料の充填を受ける。硬化材料の充填がされない非充填部は、受け皿の係止部の対応する箇所に備えられている。被包手段は、挿入開口部から当該被包手段の内部側に突出し、かつ、その突出した先端側が非充填部を除いて受け皿内に位置する突出部を備えている。
したがって、制御基板を被包した状態の被包手段は、その挿入開口部から内側に突出した突出部の先端側が、制御基板の接続部品の受け皿内に位置しており、この受け皿に硬化材料が充填されて硬化されているので、被包手段の挿入開口部と制御基板の接続部品との間の隙間を硬化材料で封止することができ、被包手段の挿入開口部の僅かな隙間を無くし、被包手段の挿入開口部の僅かな隙間から当該被包手段内の制御基板に不正にアクセスすることによる不正行為を防止することができる。また、被包手段の突出部の先端側が制御基板の接続部品の受け皿内に位置した状態でこの受け皿に硬化材料を充填している。つまり、硬化材料を接続部品の受け皿で受けているので、硬化材料が基板表面に垂れ落ちて付着することを低減できる。また、受け皿内の突出部先端が硬化材料で埋もれる程度に充填することができ、硬化材料の充填量を適量とすることができ、硬化材料の充填量が少ない場合に見られる封止不十分の問題も解消できる。また、受け皿には、コネクタ部の係止部の対応する箇所の非充填部を除いて、硬化材料が充填されるので、硬化材料が接続部品の係止部（コネクタの付着禁止箇所）にまで達することを低減でき、係止部等への硬化材料付着に起因するコネクタの接続不良を低減できる。その結果、被包手段の挿入開口部（基板ケースの開口部）と制御基板の接続部品（コネクタ）との間の隙間を硬化材料で適切に封止でき、制御基板に対する不正対策に優れた遊技機を提供することができる。
（１）  前記（０）に記載の遊技機において、
前記受け皿は、底面と側壁とを備えた有底器形状のものであり、
前記被包手段は、その挿入開口部を、前記接続部品の平面視状態において前記コネクタ部の外周よりも大きく前記受け皿の前記側壁の内周よりも小さい形状とし、かつ、その突出部を前記コネクタ部よりも前記受け皿の前記側壁に近い位置に位置させるようにしていることを特徴とする遊技機。
【００１４】
前記（１）に記載の発明によれば、受け皿は、底面と側壁とを備えた有底器形状のものとしている。被包手段は、その挿入開口部を、接続部品の平面視状態においてコネクタ部の外周よりも大きく受け皿の側壁の内周よりも小さい形状とし、かつ、その突出部をコネクタ部よりも受け皿の側壁に近い位置に位置させるようにしている。したがって、コネクタ部の外周から被包手段の突出部までの距離を、硬化材料の充填する際の空間（充填空間）としてできるだけ大きくとることができ、被包手段の突出部がコネクタ部の外周に近い場合と比べて、硬化材料が充填し易くでき、硬化材料を受け皿内で広がり易くでき、硬化材料の充填不良を低減できる。
【００１５】
（２）  遊技用媒体を用いて遊技を行う遊技機において、
当該遊技機についての少なくとも一部の機能を制御する制御基板と、
前記制御基板を被包する被包手段と、
前記制御基板とは別体で、当該制御基板に接続ケーブルを介して電気的に接続される被対象品と、
を備え、
前記制御基板は、前記接続ケーブルの前記制御基板側のコネクタが接続されるコネクタ部を有する接続部品を備え、
前記コネクタ部は、その一端側に、前記接続ケーブルの前記制御基板側のコネクタが挿入される挿入口を備え、かつ、その他端側に、前記制御基板と接続するための端子部を備えるとともに、その外周で他端から離れた所定箇所に、前記接続ケーブルの前記制御基板側のコネクタを係止する係止部を備え、
前記被包手段は、当該被包手段の内部に収納された状態における前記制御基板の前記接続部品に対応する箇所に、前記接続ケーブルの前記制御基板側のコネクタが挿入可能な挿入開口部を備え、
前記接続部品は、前記コネクタ部の外周のうちで前記係止部の対応する箇所を除く箇所であって前記係止部よりも他端側の箇所に、前記コネクタ部の一端側の方に開口した、硬化材料の充填を受ける受け皿を備え、
前記被包手段は、前記挿入開口部から当該被包手段の内部側に突出し、かつ、その突出した先端側が前記係止部の対応する箇所を除いて前記受け皿内に位置する突出部を備えている
ことを特徴とする遊技機。
【００１６】
前記（２）に記載の発明によれば、被包手段は、遊技機についての少なくとも一部の機能を制御する制御基板を被包する。被対象品は、制御基板とは別体のものであり、制御基板に接続ケーブルを介して電気的に接続される。接続ケーブルの制御基板側のコネクタは、制御基板の接続部品のコネクタ部に接続される。コネクタ部の一端側の挿入口には、接続ケーブルの制御基板側のコネクタが挿入される。コネクタ部の他端側の端子部は、制御基板と接続するためのものである。コネクタ部の外周で他端から離れた所定箇所の係止部は、接続ケーブルの制御基板側のコネクタを係止する。被包手段の挿入開口部は、当該被包手段の内部に収納された状態における制御基板の接続部品に対応する箇所に設けられ、接続ケーブルの制御基板側のコネクタが挿入可能となっている。受け皿は、接続部品でのコネクタ部の外周のうちで係止部の対応する箇所を除く箇所であって係止部よりも他端側の箇所に、コネクタ部の一端側の方に開口して設けられており、硬化材料の充填を受ける。被包手段は、挿入開口部から当該被包手段の内部側に突出し、かつ、その突出した先端側が係止部の対応する箇所を除いて受け皿内に位置する突出部を備えている。
【００１７】
したがって、制御基板を被包した状態の被包手段は、その挿入開口部から内側に突出した突出部の先端側が、制御基板の接続部品の受け皿内に位置しており、この受け皿に硬化材料が充填されて硬化されているので、被包手段の挿入開口部と制御基板の接続部品との間の隙間を硬化材料で封止することができ、被包手段の挿入開口部の僅かな隙間を無くし、被包手段の挿入開口部の僅かな隙間から当該被包手段内の制御基板に不正にアクセスすることによる不正行為を防止することができる。また、被包手段の突出部の先端側が制御基板の接続部品の受け皿内に位置した状態でこの受け皿に硬化材料を充填している。つまり、硬化材料を接続部品の受け皿で受けているので、硬化材料が基板表面に垂れ落ちて付着することを低減できる。また、受け皿内の突出部先端が硬化材料で埋もれる程度に充填することができ、硬化材料の充填量を適量とすることができ、硬化材料の充填量が少ない場合に見られる封止不十分の問題も解消できる。また、受け皿には、コネクタ部の係止部の対応する箇所を除いて、硬化材料が充填されるので、硬化材料が接続部品の係止部（コネクタの付着禁止箇所）に付着することを低減でき、係止部等への硬化材料付着に起因するコネクタの接続不良を低減できる。その結果、被包手段の挿入開口部（基板ケースの開口部）と制御基板の接続部品（コネクタ）との間の隙間を硬化材料で適切に封止でき、制御基板に対する不正対策に優れた遊技機を提供することができる。
【００１８】
なお、本明細書中の「コネクタ部の外周のうちで係止部の対応する箇所を除く箇所」とは、「接続部品の平面視状態において、コネクタ部の外周のうちで係止部が位置する箇所（範囲）を少なくとも除く箇所」である意味を含む。また、本明細書中の「その突出した先端側が係止部の対応する箇所を除いて受け皿内に位置する」とは、「接続部品の平面視状態において、その突出した先端側がコネクタ部の外周のうちで係止部が位置する箇所（範囲）を少なくとも除いて受け皿内に位置する」である意味を含む。
【００１９】
（３）  前記（２）に記載の遊技機において、
前記受け皿は、底面と側壁とを備えた有底器形状のものであり、前記コネクタ部の外周の所定の一面である第１面からその第１面に近い前記側壁までの距離に比べて、前記コネクタ部の外周の第１面以外の面である第２面からその第２面に近い前記側壁までの距離を大きくしたものであり、
前記被包手段は、その挿入開口部を、前記接続部品の平面視状態において前記コネクタ部の外周よりも大きく、かつ、前記挿入開口部を前記受け皿に平行投影したときのこの挿入開口部のうちの当該受け皿上に位置する箇所を、前記受け皿の前記側壁内に沿わせた形状としていることを特徴とする遊技機。
【００２０】
前記（３）に記載の発明によれば、受け皿は、底面と側壁とを備えた有底器形状のものであり、コネクタ部の外周の所定の一面である第１面からその第１面に近い側壁までの距離に比べて、コネクタ部の外周の第１面以外の面である第２面からその第２面に近い側壁までの距離を大きくしたものである。被包手段は、その挿入開口部を、接続部品の平面視状態においてコネクタ部の外周よりも大きく、かつ、挿入開口部を受け皿に平行投影したときのこの挿入開口部のうちの当該受け皿上に位置する箇所を、受け皿の側壁内に沿わせた形状としている。したがって、コネクタ部の外周の第２面からその第２面に近い側壁までの間を硬化材料の充填する際の空間（充填空間）として用いることができ、硬化材料が充填し易くできる。また、コネクタ部の外周の第２面からその第２面に近い側壁までの間は、コネクタ部の外周の第１面からその第１面に近い側壁までの間に比べて大きくなっているので、硬化材料を受け皿内で広がり易くでき、硬化材料の充填不良を低減できる。
【００２１】
なお、本明細書中の「受け皿の側壁内に沿わせた形状」とは、「第１面からこの第１面に近い側壁までの開口長さに比べて、第２面からこの第２面に近い側壁までの開口長さが長い形状」である意味を含む。
【００２２】
（４）  前記（０）から（３）のいずれか一つに記載の遊技機において、
前記制御基板は、前記接続部品の前記コネクタ部の前記端子部が挿入されるスルーホールを備え、
前記コネクタ部の前記端子部は、前記制御基板の前記スルーホールに挿入された状態で接合材により接合されている
ことを特徴とする遊技機。
【００２３】
前記（４）に記載の発明によれば、コネクタ部の端子部は、制御基板のスルーホールに挿入された状態で接合材により接合されている（例えば、はんだ付けされている）。つまり、コネクタ部の端子部は、接合材で接合されることにより（例えば、はんだ付けにより）制御基板に実装されているので、コネクタ部の端子部が接合材で接合され（例えば、はんだ付けされ）た制御基板のスルーホールの接合材（例えば、はんだ）を除去することで、接続部品が挿入開口部に硬化された被包手段から制御基板を取り外すことができ、制御基板の点検時などにおいて制御基板を取り外すことができる。
【００２４】
（５）  前記（４）に記載の遊技機において、
前記コネクタ部は、前記端子部の周りに、端子の接合のために使用する接合材が流入可能な穴を備えている
ことを特徴とする遊技機。
【００２５】
前記（５）に記載の発明によれば、コネクタ部は、端子部の周りに、端子の接合のために使用する接合材（例えば、はんだ）が流入可能な穴を備えているので、端子部の接合作業（例えば、はんだ付け作業）において接合材（例えば、はんだ）の逃げ道を形成（確保）でき、制御基板のスルーホールから接続部品のコネクタ部の他端側に流れ込んできた接合材（例えば、はんだ）を、端子部の周りの穴に流入させることができ、接続部品が制御基板に対して浮いた状態で固定されることを低減でき、接続部品と制御基板との間を隙間無くすることができる。また、接続部品と制御基板とが隙間のある状態で例えばはんだ付けされている場合には、その隙間は不正行為に利用されることがあるが、接続部品と制御基板との間を隙間無くすることができるので、接続部品と制御基板との間を隙間を利用した不正行為を低減できる。また、前述したように接合材（例えば、はんだ）が流入可能な穴をコネクタ部の他端の端子部の周りに備えたとしても、このコネクタ部の他端に受け皿を備えているので、接続部品の剛性を維持できる。つまり、コネクタ部単体でみればその穴の存在により剛性が低下していることになるが、コネクタ部の他端に受け皿を備えることで、受け皿で剛性を補強でき、接続部品の剛性を維持できる。
【００２６】
（６）  前記（４）または（５）に記載の遊技機において、
前記受け皿は、前記制御基板と対向する面である実装面に、前記接続部品を前記制御基板の単一の所定位置に取り付けるための位置決め部を備えている
ことを特徴とするものである。
【００２７】
前記（６）に記載の発明によれば、受け皿は、制御基板と対向する面である実装面に、接続部品を制御基板の単一の所定位置に取り付けるための位置決め部を備えているので、接続部品を制御部品に誤装着することを低減できる。
【００２８】
（７）  前記（０）から（６）のいずれか一つに記載の遊技機において、
さらに、前記受け皿は、前記制御基板と対向する面である実装面に、貫通孔を備え、
前記接続部品の前記コネクタ部の前記端子部が前記制御基板のスルーホールに挿入されて前記接続部品と前記制御基板とが当接した状態で、前記受け皿に硬化材料が充填されて硬化されている
ことを特徴とする遊技機。
【００２９】
前記（７）に記載の発明によれば、受け皿は、制御基板と対向する面である実装面に、貫通孔を備え、接続部品のコネクタ部の端子部が制御基板のスルーホールに挿入されて接続部品と制御基板とが当接した状態で、受け皿に硬化材料が充填されて硬化されているので、受け皿の貫通孔の硬化材料は制御基板に接触した状態で硬化しており、この貫通孔箇所の硬化材料で受け皿を制御基板に固定することができる。つまり、被包手段と接続部品とを硬化材料で封止しているその硬化材料を接続部品の制御基板への固定にも用いることができ、硬化材料を二種の目的に利用でき、硬化材料をより有効活用することができる。
【００３０】
（８）  前記（０）から（７）のいずれか一つに記載の遊技機において、
前記受け皿は、前記制御基板と対向する面である実装面に、通気溝を備えている
ことを特徴とする遊技機。
【００３１】
前記（８）に記載の発明によれば、受け皿は、制御基板と対向する面である実装面に、通気溝を備えているので、この通気溝によって熱を逃がすことができ、放熱性能を向上させることができる。
【００３２】
（９）  前記（０）から（８）のいずれか一つに記載の遊技機において、
前記硬化材料は、その硬化状態において透明であることを特徴とする遊技機。
【００３３】
前記（９）に記載の発明によれば、硬化材料は、その硬化状態において透明である材料を採用しているので、この硬化材料の充填箇所を視認でき、不正行為を低減できる。つまり、受け皿の硬化材料の充填部分に何らかの不正行為物を内在させたとしても、その不正物を目視により発見でき、不正行為を抑止できる。特に、硬化材料を、その硬化状態において透明とすることで視認しやすく好ましい。
【００３４】
なお、本明細書中の「透明」とは、「無色透明」、「有色透明」や「半透明」を含む意味である。
【００３５】
（１０）  前記（９）に記載の遊技機において、
前記受け皿は透明部材としていることを特徴とする遊技機。
【００３６】
前記（１０）に記載の発明によれば、受け皿は透明部材を採用しており、硬化後の硬化材料も透明であるので、この受け皿や受け皿の裏面も視認でき、不正行為を低減できる。つまり、受け皿自体や受け皿の裏面側に何らかの不正行為物を内在させたとしても、その不正物を目視により発見でき、不正行為を抑止できる。特に、受け皿を透明とすることで視認しやすく好ましい。
【００３７】
なお、本明細書中の「透明」とは、「無色透明」、「有色透明」や「半透明」を含む意味である。
【００３８】
（１１）  前記（０）から（１０）のいずれか一つに記載の遊技機において、
前記被包手段は、前記制御基板を収納する空間を備えた第１ケースと、前記第１ケースの収納空間を閉じるための第２ケースとを備え、
前記第１ケースは、前記挿入開口部を備えている
ことを特徴とする遊技機。
【００３９】
前記（１１）に記載の発明によれば、被包手段は、制御基板を収納する空間を備えた第１ケースと、この第１ケースの収納空間を閉じるための第２ケースとを備え、第１ケースは、挿入開口部を備えている。したがって、第１ケースの挿入開口部と制御基板の接続部品とが硬化材料で硬化された状態においても、この硬化材料に傷をつけることなく、被包手段を開封することができる。つまり、制御基板の接続部品が硬化材料で硬化された状態の第１ケースと、第２ケースとに分離することができる。
【００４０】
（１２）  前記（０）から（１１）のいずれか一つに記載の遊技機において、
前記接続部品は、前記制御基板の電子部品の実装面側で、かつ、その実装電子部品の方に向く方向とは異なる方向に前記コネクタ部の前記係止部を向けるようにして配設されている
ことを特徴とする遊技機。
【００４１】
前記（１２）に記載の発明によれば、接続部品は、制御基板の電子部品の実装面側で、かつ、その実装電子部品の方に向く方向とは異なる方向にコネクタ部の係止部を向けるようにして配設されている。つまり、受け皿の硬化材料が充填される側を制御基板の電子部品に向くようにして接続部品を制御基板に配設している。言い換えれば、接続部品の係止部には硬化材料が回り込まないため、この係止部が制御基板の電子部品を向くように配設した場合には、この係止部からの不正行為が懸念され、不正対策が十分でないと考えられるが、この係止部を制御基板の電子部品に向く方向とは異なる方向に向くようにして接続部品を制御基板に配設している、つまり、受け皿の硬化材料が充填される側を制御基板の電子部品に向くようにして接続部品を配置しているので、係止部が制御基板の電子部品を向くように配設された場合よりも不正対策に優れている。
【００４２】
（１３）  前記（０）から（１２）のいずれか一つに記載の遊技機において、
前記遊技機はパチンコ機であることを特徴とする遊技機。
【００４３】
前記（１３）に記載の遊技機によれば、被包手段の挿入開口部（基板ケースの開口部）と制御基板の接続部品（コネクタ）との間の隙間を硬化材料で適切に封止でき、制御基板に対する不正対策に優れたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００４４】
（１４）  前記（０）から（１２）のいずれか一つに記載の遊技機において、
前記遊技機はスロットマシンであることを特徴とする遊技機。
【００４５】
前記（１４）に記載の遊技機によれば、被包手段の挿入開口部（基板ケースの開口部）と制御基板の接続部品（コネクタ）との間の隙間を硬化材料で適切に封止でき、制御基板に対する不正対策に優れたスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００４６】
（１５）前記（０）から（１２）のいずれか一つに記載の遊技機において、
前記遊技機はパチンコ機とスロットマシンとを融合させたものであることを特徴とする遊技機。
【００４７】
前記（１５）に記載の遊技機によれば、被包手段の挿入開口部（基板ケースの開口部）と制御基板の接続部品（コネクタ）との間の隙間を硬化材料で適切に封止でき、制御基板に対する不正対策に優れた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、所定の入賞手段への遊技球の入賞などに起因して始動用操作手段（例えば操作レバー）の操作が可能な状態となり、この始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」が挙げられる。
【００４８】
以下、パチンコ遊技機（以下、単に「パチンコ機」という）の各種の実施の形態を、図面に基づいて詳細に説明する。
【実施例１】
【００４９】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００５０】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００５１】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００５２】
図１に示すように、内枠１２は、大別すると、その最下部に取り付けられた下皿ユニット１３と、この下皿ユニット１３よりも上側の範囲で内枠１２の左側の上下方向の開閉軸を軸心にして開閉自在に取り付けられた前面枠セット１４と、外形が矩形状の樹脂ベース（図示省略）に着脱自在に取り付けられる遊技盤３０（図２参照）とを備えている。
【００５３】
図１に示すように、下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力口２４は、下皿ユニット１３内あるいは背面に設けられたスピーカからの音を出力するための出力口である。
【００５４】
また、前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００５５】
図１に示すように、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。また、前面枠セット１４には、遊技盤３０の遊技領域３０ａ（図２参照）のほとんどを外部から視認することができるよう略楕円形状の窓部１０１が形成されている。詳しくは、窓部１０１は、その左右側の略中央部が、上下側に比べて比較的緩やかに湾曲した形状となっている略楕円形状で中央が空洞とした枠体であり、その枠体の空洞部分に略楕円形状のガラス板１３７が取り付けられたものである。このガラス板１３７は二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００５６】
また、前面枠セット１４は、図１に示すように、上皿１９の左下側の箇所に、遊技者による操作指示（例えば、押下指示）を受ける枠ボタン２０（演出ボタン）を備えている。図４に示すように、枠ボタン２０はサブ制御装置２６２に接続されている。例えば、所定の操作有効条件成立時には、当該枠ボタン２０の操作が有効となり、枠ボタン２０を押下するなどにより、第３図柄表示装置４２の画面表示が変化したり、出力音を変更したり、ランプ表示を変更したりするなど、遊技者が遊技に積極的に参加できるようになっている。
【００５７】
加えて、前面枠セット１４は、その前面側で窓部１０１の周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５８】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５９】
遊技盤３０は、図２に示すように、四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略円形状の図１に示した窓部１０１（ガラス板１３７）を通じて内枠１２の前面側に露出した状態となっている。
【００６０】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第２の始動口３３ｂにも作動口スイッチ（通過検出スイッチ）が設けられ、この第２の始動口３３ｂへの入球をその作動口スイッチにより検出されるようになっている。すなわち、遊技球の第１の始動口３３ａへの入球または遊技球の第２の始動口３３ｂへの入球のどちらの場合にも、それが始動入賞であることに変わりは無い。
【００６１】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００６２】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００６３】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００６４】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００６５】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００６６】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、９．３インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００６７】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００６８】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００６９】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００７０】
また、遊技盤３０には、図２に示すように、遊技球発射装置３８（図３参照）から発射された遊技球を遊技盤３０上部へ案内するためのレールユニット５０が取り付けられており、遊技球発射ハンドル１８の回動操作に伴い発射された遊技球はレールユニット５０の後述する球案内通路４９を通じて所定の遊技領域３０ａに案内されるようになっている。レールユニット５０はリング状をなす樹脂成型品（例えば、フッ素樹脂が添加されて成形されたもの）にて構成されており、内外二重に一体形成された内レール５１と外レール５２とを有する。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００７１】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２には、遊技球の最大飛翔部分に対応する位置（図２の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００７２】
また、レールユニット５０の外周部には、正面視した状態で周囲外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００７３】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域３０ａの拡張が図られるようになっている。
【００７４】
内レール５１及び外レール５２間の球案内通路４９の入口には、当該球案内通路４９の一部を閉鎖するようにして凸部５７が形成されている。この凸部５７は、内レール５１からレールユニット５０下端部にかけて略鉛直方向に設けられ、遊技領域３０ａまで至らず球案内通路４９内を逆流してくるファール球を内枠１２に設けられたファール球通路（図示省略）に導くための役目をなす。なお、遊技盤３０の右下隅部及び左下隅部は、証紙（例えば製造番号が記載されている）等のシール（図２のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図２のＳ１，Ｓ２）を貼着することで、遊技盤３０と証紙との一義性を持たせることができる。
【００７５】
次に、遊技盤３０の遊技領域３０ａについて説明する。遊技領域３０ａは、図２に示すように、レールユニット５０の内周部（内外レール）により略円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００７６】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００７７】
従って、本実施の形態では、遊技領域３０ａの幅（左右方向の最大幅）は、４１８ｍｍであり、遊技領域３０ａの高さ（上下方向の最大幅）は、４４５ｍｍである。
【００７８】
なお、詳しい図面の開示は省略するが、遊技球発射装置３８には、前面枠セット１４側の球出口（上皿１９の最下流部より通じる球出口）から遊技球が１つずつ供給される。
【００７９】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００８０】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００８１】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００８２】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。ている。なお、上述した作動口スイッチが本発明における入賞検出手段に相当する。
【００８３】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００８４】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００８５】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００８６】
第１制御基板ユニット２０１は略Ｌ字状をなす取付台（図示省略）を有し、この取付台に主制御装置２６１とサブ制御装置２６２とが搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、後述する略直方体形状のボックスベース４１０（図６参照）と該ボックスベース４１０の開口部を覆う後述するボックスカバー４２０（図６参照）とを備えている。これらボックスベース４１０とボックスカバー４２０とは封印ユニット（図示省略）によって開封不能に連結され、これにより基板ボックス２６３が封印されている。
【００８７】
封印手段としての封印ユニットはボックスベース４１０とボックスカバー４２０とを開封不能に連結する構成であれば任意の構成が適用できるが、本実施例では、例えば５つの封印部材が連結された構成となっており、この封印部材の長孔に係止爪を挿入することでボックスベース４１０とボックスカバー４２０とが開封不能に連結されるようになっている。封印ユニットによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット（図示省略）を構成する５つの封印部材のうち、少なくとも一つの封印部材の長孔に係止爪を挿入することにより封印処理が行われる。そして、収容した主制御基板２６１ａの不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【００８８】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００８９】
第２制御基板ユニット２０２は横長形状をなす取付台（図示省略）を有し、この取付台に払出制御装置３１１、発射制御装置３１２、電源装置３１３及びカードユニット接続基板（図示省略）が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電       ／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板（図示省略）は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００９０】
上記払出制御装置３１１、発射制御装置３１２、電源装置３１３及びカードユニット接続基板（図示省略）は、透明樹脂材料等よりなる基板ボックス（図示省略）にそれぞれ収容されて構成されている。特に、払出制御装置３１１では、前述した主制御装置２６１と同様、基板ボックス（被包手段）を構成するボックスベース４１０とボックスカバー４２０とが封印ユニット（封印手段）によって開封不能に連結され、これにより基板ボックス２６３が封印されている。
【００９１】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００９２】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００９３】
次に、裏パックユニット２０３の構成を説明する。裏パックユニット２０３は、図３に示すように、樹脂成形された裏パック３５１と遊技球の払出機構部３５２とを一体化したものである。
【００９４】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【００９５】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００９６】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【００９７】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００９８】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【００９９】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【０１００】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１０１】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【０１０２】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【０１０３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１０４】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１０５】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１０６】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１０７】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１０８】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１０９】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１１０】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１１１】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１１２】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１１３】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１１４】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１１５】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１１６】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１１７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１１８】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１１９】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１２０】
次に、本実施例のパチンコ機１０のさらなる特徴部分の構成について、図６〜図８を用いて説明する。図６は主制御装置２６１の構成を示す分解斜視図である。図７は作動口スイッチ２２４が接続される主制御装置２６１の斜視図である。図８はボックスベース４１０とボックスカバー４２０の閉じる前の状態を示す斜視図である。
【０１２１】
主制御装置２６１は、パチンコ機１０の遊技を主として制御する機能を備えたものであり、図６に示すように、ＩＣや抵抗など各種の電気部品・電子部品が実装された主制御基板２６１ａ（主基板とも言う）と、この主制御基板２６１ａを被包する基板ボックス２６３（ボックスベース４１０とボックスカバー４２０とからなる）を備えている。主制御基板２６１ａをボックスベース４１０，ボックスカバー４２０で被包することで、ケースの外部からケース内の主制御基板２６１ａに不正にアクセス（接触など）できないようにしており、不正行為の低減に一定の効果を奏している。
【０１２２】
図６に示すように、ボックスベース４１０は、主制御基板２６１ａを収納する空間を備えている。ボックスカバー４２０は、ボックスベース４１０の収納空間を閉じるためのものである。図８に示すように、例えば主制御基板２６１ａが内側に収納された状態のボックスベース４１０を矢印ＹＡの方向にスライドさせて、ボックスベース４１０の収納空間を閉じることで、主制御基板２６１ａをボックスベース４１０，ボックスカバー４２０で被包することができる。
【０１２３】
具体的には、図６に示すように、主制御基板２６１ａは、その実装面JM側をボックスベース４１０の収納空間（ボックスベース４１０の内側）に対向させて収納した状態で、主制御基板２６１ａの四隅の貫通孔３９０にネジを挿入してボックスベース４１０のネジ穴に螺入することで、ボックスベース４１０の収納空間（ボックスベース４１０の内側）に取り付けられる。そして、このように内側に主制御基板２６１ａが固定されたボックスベース４１０を、図８に示す矢印ＹＡの方向にスライドさせて、ボックスベース４１０の収納空間を閉じることで、主制御基板２６１ａをボックスベース４１０，ボックスカバー４２０で被包している。
【０１２４】
また、パチンコ機１０は、図２に示すように、一般入賞口３１、第１の始動口３３ａ（例えば作動チャッカ）などが所定箇所に配置された遊技盤３０を備えている。例えば、第１の始動口３３ａは、当該第１の始動口３３ａへの遊技球の入球を検出する作動口スイッチ２２４（図７参照）を備えている。
【０１２５】
図７に示すように、この作動口スイッチ２２４は、主制御基板２６１ａとは別体のものであり、接続ケーブル４３０を介して電気的に主制御基板２６１ａに接続されるようになっている。具体的には、作動口スイッチ２２４の接続ケーブル４３０での主制御基板２６１ａ側のコネクタ４３２は、主制御基板２６１ａのコネクタ４００のコネクタ部４０２に挿入可能となっている。
【０１２６】
図６に示すように、ボックスベース４１０は、当該ボックスベース４１０の内側の収納空間に収納された状態における主制御基板２６１ａのコネクタ４００に対応する箇所に、接続ケーブル４３０の主制御基板２６１ａ側のコネクタ４３２が挿入可能な挿入開口部４１２を備えている。
【０１２７】
なお、主制御基板２６１ａは、図６において見える面が、電気部品・電子部品が実装される実装面ＪＭとなっており、図６において見えない側の面、つまり裏面が、電気部品・電子部品の端子等がはんだ付けされるはんだ面ＨＭとなっている。
【０１２８】
ここで、主制御基板２６１ａのコネクタ４００およびボックスベース４１０の挿入開口部４１２の構造等について、図９〜図１４を用いて説明する。図９は主制御基板２６１ａのコネクタ４００の構成を示す概略斜視図である。図１０（ａ）は主制御基板２６１ａのコネクタ４００の平面図、図１０（ｂ）はコネクタ４００の後面図、図１０（ｃ）はコネクタ４００の左側面図、図１０（ｄ）はコネクタ４００の前面図である。図１１（ａ）は主制御基板２６１ａのコネクタ４００の平面図、図１１（ｂ）はコネクタ４００の後面図、図１１（ｃ）はコネクタ４００の底面図である。図１２（ａ）は主制御基板２６１ａのコネクタ４００の図１０（ａ）に示したＡ−Ａ線断面図、図１２（ｂ）はコネクタ４００に接続ケーブル４３０のコネクタ４３２が挿入された状態を示す概略断面図である。図１３（ａ）は主制御基板２６１ａにコネクタ４００が実装される前の状態を示す概略断面図、図１３（ｂ）は主制御装置２６１のコネクタ４００の部分についての概略断面図である。図１４は、挿入開口部４１２とコネクタ４００の受け皿４４０との位置関係を示す図である。
【０１２９】
主制御基板２６１ａに実装されるコネクタ４００は、図９に示すように、接続ケーブル４３０のコネクタ４３２が挿入されるコネクタ部４０２を備えている。このコネクタ部４０２は、例えば、その外観が略直方体形状となっている。
【０１３０】
図９，図１０に示すように、コネクタ部４０２は、その一端側に、接続ケーブル４３０の主制御基板２６１ａ側のコネクタ４３２が挿入される挿入口４０４を備え、かつ、その他端側に、主制御基板２６１ａと接続するための端子部４０６を備えるとともに、その外周で他端から離れた所定箇所に、接続ケーブル４３０の主制御基板２６１ａ側のコネクタ４３２の係止爪４３４を係止するための係止口４０８を備えている。
【０１３１】
さらに、図９〜図１１に示すように、コネクタ４００は、コネクタ部４０２の外周で係止口４０８よりも他端側の箇所に、コネクタ部４０２の一端側の方に開口した、硬化材料４３６の充填を受ける受け皿４４０を備えている。この受け皿４４０は、底面４４１と側壁４４２とを備えた有底器形状のものとしている。受け皿４４０を平面視した状態、つまり、受け皿４４０の開口を見た状態において、その外径寸法は例えば縦横ともに１８ｍｍ（ミリ）程度の大きさであり、受け皿４４０を側面視した状態において、側壁４４２の高さを６ｍｍ程度としている。
【０１３２】
また、コネクタ部４０２を平面視した状態、つまり、コネクタ部４０２をその挿入口４０４から見た状態において、その外径寸法は例えば縦横ともに７ｍｍ（ミリ）程度の大きさであり、コネクタ部４０２を側面視した状態において、コネクタ部４０２の高さ、つまり、その挿入口４０４から端子部４０６の先端までの長さを１５ｍｍ程度としている。なお、端子部４０６の長さ、つまり、受け皿４４０の底面４４１から端子部４０６の先端までの長さを３ｍｍ程度としている。
【０１３３】
また、図１２に示すように、このコネクタ部４０２の挿入口４０４の内側には、端子部４０６と電気的に接続された接触部４０７を備えている。接続ケーブル４３０のコネクタ４３２が主制御基板２６１ａのコネクタ部４０２の挿入口４０４に挿入されると、コネクタ部４０２内の接触部４０７が接続ケーブル４３０のコネクタ４３２内の接触部と嵌合して導通状態となる。
【０１３４】
また、硬化材料４３６は、その硬化状態において無色透明であるものを採用している。なお、硬化状態で有色透明や半透明なもの等を採用してもよい。本実施例では、硬化材料４３６として光硬化性材料（例えば、光硬化性樹脂）を採用している。例えば、光硬化性材料（例えば、光硬化性樹脂）の場合は、比較的短時間で硬化するので、製造時において硬化材料４３６が硬化するまで待つ時間を低減でき、生産効率を挙げることができる。
【０１３５】
図９，図１２に示すように、受け皿４４０は、係止口４０８の対応する箇所に、硬化材料４３６の充填がされない隆起部（リブ）４４３を備えている。つまり、受け皿４４０は、コネクタ４００を側面視した状態でコネクタ部４０２の係止口４０８よりも他端側の箇所で、かつ、コネクタ４００を平面視した状態でコネクタ部４０２の係止口４０８とこの係止口４０８に近い側壁４４２との間の箇所に、硬化材料４３６の充填がされない隆起部４４３を備えている。
【０１３６】
図１３（ｂ）に示すように、コネクタ４００は、主制御基板２６１ａの電子部品の実装面ＪＭ側で、かつ、その実装電子部品の方に向く方向とは異なる方向（本実施例では反対側（１８０°反対方向））にコネクタ部４０２の係止口４０８を向けるようにして配設されている。つまり、隆起部４４３を実装電子部品の方に向く方向とは異なる方向に向けるようにしてコネクタ４００が配設されているとも言える。なお、前記の「異なる方向」としては、水平面内で、かつ、実装電子部品の方に向く方向から９０°回転した方向など、実装電子部品の方に向く方向以外の種々の方向が挙げられる。
【０１３７】
受け皿４４０は、例えば透明部材で形成されている。なお、受け皿４４０として、半透明なものあるいは着色されたものを採用してもよい。
【０１３８】
図１３（ｂ），図１４に示すように、ボックスベース４１０は、挿入開口部４１２から当該ボックスベース４１０の内部側に突出し、かつ、その突出した先端側が隆起部４４３を除いて受け皿４４０内に位置する突出部４１４を備えている。
【０１３９】
図１４に示すように、ボックスベース４１０は、その挿入開口部４１２を、コネクタ４００の平面視状態において、コネクタ部４０２の外周よりも大きく、かつ、受け皿４４０の側壁４４２の内周よりも小さい形状とし、さらに、その突出部４１４をコネクタ部４０２よりも受け皿４４０の側壁４４２に近い位置に位置させるようにしている。つまり、図１４に示す斜線部分がボックスベース４１０の突出部４１４に相当するのであるが、この突出部４１４が、受け皿４４０内で側壁４４２に近い位置に位置していることがわかる。
【０１４０】
この突出部４１４は、受け皿４４０の側壁４４２に沿うようにした板状の部材としている。突出部４１４の先端は、図１３（ｂ）に示すように、硬化材料４３６が充填された状態でこの硬化材料４３６の中に入った状態となっており、この状態で硬化材料４３６が硬化されており、ボックスベース４１０とコネクタ４００との隙間が硬化した硬化材料４３６で塞がれている。
【０１４１】
図１３（ａ）に示すように、主制御基板２６１ａは、コネクタ４００のコネクタ部４０２の端子部４０６が挿入されるスルーホールＳＨを備えている。図１３（ｂ）に示すように、コネクタ部４０２の端子部４０６は、主制御基板２６１ａのスルーホールＳＨに挿入された状態ではんだＨＤによってはんだ付けされている。
【０１４２】
図１１（ｃ），図１２に示すように、コネクタ部４０２は、端子部４０６の周りに、はんだが流入可能な穴４４４を備えている。具体的には、図１１（ｃ）に示すように、この穴４４４は、コネクタ部の端子部４０６の周囲に例えば４個形成されている。コネクタ部４０２の端子部４０６が主制御基板２６１ａのスルーホールＳＨに挿入された状態ではんだ付けされることになるが、主制御基板２６１ａのはんだ面ＨＭからスルーホールＳＨを通じて主制御基板２６１ａの実装面ＪＭ、つまりコネクタ４００の底面４４１と主制御基板２６１ａの実装面ＪＭの間に侵入した余剰はんだＨＤ１をこの穴４４４に流入させることができる。
【０１４３】
受け皿４４０は、図１１（ｂ），図１１（ｃ）に示すように、主制御基板２６１ａと対向する面である実装面（底面４４１）に、コネクタ４００を主制御基板２６１ａの単一の所定位置に取り付けるための位置決め突起部４４５を備えている。例えば、位置決め突起部４４５は、受け皿４４０の底面４４１において非対称の位置に形成されている。当然に、主制御基板２６１ａの実装面ＪＭには、受け皿４４０の位置決め突起部４４５と嵌合する嵌合穴ＫＮが形成されている。なお、位置決め嵌合穴を受け皿４４０の底面４４１に形成し、この位置決め嵌合穴と嵌合する突起部を主制御基板２６１ａの実装面ＪＭに形成するようにしてもよい。
【０１４４】
さらに、受け皿４４０は、図１１（ｃ）に示すように、主制御基板２６１ａと対向する面である実装面（底面４４１）に、通気溝４４６を備えている。端子部分にこもり易かった熱を、通気溝４４６を通じて逃がすことができ、放熱性に優れている。
【０１４５】
例えば、主制御基板２６１ａに実装された電子部品が不良等があり、基板ボックス２６３（ボックスベース４１０およびボックスカバー４２０からなる）を開封し、ボックスベース４１０の収納空間に取り付けられた主制御基板２６１ａを取り外したい場合には、図１３（ｂ）に示すように、主制御基板２６１ａでのコネクタ４００の端子部４０６のはんだを除去し、主制御基板２６１ａの四隅の貫通孔３９０に挿入されたネジを緩めて取り外すことで、主制御基板２６１ａをボックスベース４１０から取り外すことができる。
【０１４６】
なお、上述した主制御基板２６１ａ（主基板）が本発明における制御基板に相当し、上述した基板ボックス２６３（ボックスベース４１０およびボックスカバー４２０からなる）が本発明における被包手段に相当し、上述したボックスベース４１０が本発明における第１ケースに相当し、上述したボックスカバー４２０が本発明における第２ケースに相当し、上述した作動口スイッチ２２４が本発明における被対象品に相当し、上述したコネクタ４００が本発明における接続部品に相当し、上述した係止口４０８が本発明における係止部に相当し、上述した隆起部４４３が本発明における非充填部に相当し、上述した位置決め突起部４４５（あるいは位置決め嵌合穴）が本発明における位置決め部に相当する。
【０１４７】
上述したように、本実施例１のパチンコ機１０によれば、当該パチンコ機１０についての少なくとも一部の機能を制御する主制御基板２６１ａと、この主制御基板２６１ａを被包する基板ボックス２６３（ボックスベース４１０とボックスカバー４２０とからなる）と、主制御基板２６１ａとは別体で、当該主制御基板２６１ａに接続ケーブル４３０を介して電気的に接続される作動口スイッチ２２４と、を備え、主制御基板２６１ａは、接続ケーブル４３０の主制御基板２６１ａ側のコネクタ４３２が接続されるコネクタ部４０２を有するコネクタ４００を備え、コネクタ部４０２は、その一端側に、接続ケーブル４３０の主制御基板２６１ａ側のコネクタ４３２が挿入される挿入口４０４を備え、かつ、その他端側に、主制御基板２６１ａと接続するための端子部４０６を備えるとともに、その外周で他端から離れた所定箇所に、接続ケーブル４３０の主制御基板２６１ａ側のコネクタ４３２の係止爪４３４を係止するための係止口４０８を備え、ボックスベース４１０は、当該ボックスベース４１０の内部に収納された状態における主制御基板２６１ａのコネクタ４００に対応する箇所に、接続ケーブル４３０の主制御基板２６１ａ側のコネクタ４３２が挿入可能な挿入開口部４１２を備え、コネクタ４００は、コネクタ部４０２の外周で係止口４０８よりも他端側の箇所に、コネクタ部４０２の一端側の方に開口した、硬化材料４３６の充填を受ける受け皿４４０を備え、この受け皿４４０は、係止口４０８の対応する箇所に、硬化材料４３６の充填がされない隆起部４４３を備え、ボックスベース４１０は、挿入開口部４１２から当該ボックスベース４１０の内部側に突出し、かつ、その突出した先端側が隆起部４４３を除いて受け皿４４０内に位置する突出部４１４を備えている。
【０１４８】
したがって、主制御基板２６１ａを被包した状態の基板ボックス２６３は、その挿入開口部４１２から内側に突出した突出部４１４の先端側が、主制御基板２６１ａのコネクタ４００の受け皿４４０内に位置しており、この受け皿４４０に硬化材料４３６が充填されて硬化されているので、ボックスベース４１０の挿入開口部４１２と主制御基板２６１ａのコネクタ４００との間の隙間を硬化材料４３６で封止することができ、ボックスベース４１０の挿入開口部４１２の僅かな隙間を無くし、ボックスベース４１０の挿入開口部４１２の僅かな隙間から当該基板ボックス２６３内の主制御基板２６１ａに不正にアクセスすることによる不正行為を防止することができる。また、ボックスベース４１０の突出部４１４の先端側が主制御基板２６１ａのコネクタ４００の受け皿４４０内に位置した状態でこの受け皿４４０に硬化材料４３６を充填している。つまり、硬化材料４３６をコネクタ４００の受け皿４４０で受けているので、硬化材料４３６が基板表面に垂れ落ちて付着することを低減できる。また、受け皿４４０内の突出部４１４の先端が硬化材料４３６で埋もれる程度に充填することができ、硬化材料４３６の充填量を適量とすることができ、硬化材料４３６の充填量が少ない場合に見られる封止不十分の問題も解消できる。また、受け皿４４０には、コネクタ部４０２の係止口４０８の対応する箇所の隆起部４４３を除いて、硬化材料４３６が充填されるので、硬化材料４３６がコネクタ４００の係止口４０８（コネクタの付着禁止箇所）にまで達することを低減でき、係止口４０８等への硬化材料付着に起因するコネクタの接続不良を低減できる。その結果、ボックスベース４１０の挿入開口部４１２（基板ケースの開口部）と主制御基板２６１ａのコネクタ４００との間の隙間を硬化材料４３６で適切に封止でき、主制御基板２６１ａに対する不正対策に優れた遊技機を提供することができる。
【０１４９】
また、受け皿４４０は、底面４４１と側壁４４２とを備えた有底器形状のものであり、ボックスベース４１０は、その挿入開口部４１２を、コネクタ４００の平面視状態においてコネクタ部４０２の外周よりも大きく受け皿４４０の側壁４４２の内周よりも小さい形状とし、かつ、その突出部４１４をコネクタ部４０２よりも受け皿４４０の側壁４４２に近い位置に位置させるようにしているので、コネクタ部４０２の外周からボックスベース４１０の突出部４１４までの距離を、硬化材料４３６の充填する際の空間（充填空間）としてできるだけ大きくとることができ、ボックスベース４１０の突出部４１４がコネクタ部４０２の外周に近い場合と比べて、硬化材料４３６が充填し易くでき、硬化材料４３６を受け皿４４０内で広がり易くでき、硬化材料４３６の充填不良を低減できる。
【０１５０】
また、主制御基板２６１ａは、コネクタ４００のコネクタ部４０２の端子部４０６が挿入されるスルーホールＳＨを備え、コネクタ部４０２の端子部４０６は、主制御基板２６１ａのスルーホールＳＨに挿入された状態ではんだ付けされているので、コネクタ部４０２の端子部４０６がはんだ付けされた主制御基板２６１ａのスルーホールＳＨのはんだＨＤ（図１３（ｂ）参照）を除去することで、コネクタ４００が挿入開口部４１２に硬化された基板ボックス２６３から主制御基板２６１ａを取り外すことができ、主制御基板２６１ａの点検時などにおいて主制御基板２６１ａを取り外すことができる。
【０１５１】
また、コネクタ部４０２は、端子部４０６の周りに、はんだが流入可能な穴４４４を備えているので、端子部４０６のはんだ付け作業においてはんだの逃げ道を形成（確保）でき、主制御基板２６１ａのスルーホールＳＨからコネクタ４００のコネクタ部４０２の他端側に流れ込んできたはんだＨＤ１を、端子部４０６の周りの穴４４４に流入させることができ、コネクタ４００が主制御基板２６１ａに対して浮いた状態で固定されることを低減でき、コネクタ４００と主制御基板２６１ａとの間を隙間無くすることができる。また、コネクタ４００と主制御基板２６１ａとが隙間のある状態ではんだ付けされている場合には、その隙間は不正行為に利用されることがあるが、コネクタ４００と主制御基板２６１ａとの間を隙間無くすることができるので、コネクタ４００と主制御基板２６１ａとの間を隙間を利用した不正行為を低減できる。また、前述したようにはんだが流入可能な穴４４４をコネクタ部４０２の他端の端子部４０６の周りに備えたとしても、このコネクタ部４０２の他端に受け皿４４０を備えているので、コネクタ４００の剛性を維持できる。つまり、コネクタ部４０２単体でみればその穴４４４の存在により剛性が低下していることになるが、コネクタ部４０２の他端に受け皿４４０を備えることで、受け皿４４０で剛性を補強でき、コネクタ４００の剛性を維持できる。
【０１５２】
また、受け皿４４０は、主制御基板２６１ａと対向する面である実装面に、コネクタ４００を主制御基板２６１ａの単一の所定位置に取り付けるための位置決め突起部４４５を備えているので、コネクタ４００を制御部品に誤装着することを低減できる。
【０１５３】
また、受け皿４４０は、主制御基板２６１ａと対向する面である実装面に、通気溝４４６を備えているので、この通気溝４４６によって熱を逃がすことができ、放熱性能を向上させることができる。
【０１５４】
また、硬化材料４３６は、その硬化状態において透明である材料を採用しているので、この硬化材料４３６の充填箇所を視認でき、不正行為を低減できる。つまり、受け皿４４０の硬化材料４３６の充填部分に何らかの不正行為物を内在させたとしても、その不正物を目視により発見でき、不正行為を抑止できる。
【０１５５】
また、受け皿４４０は透明部材を採用しており、硬化後の硬化材料４３６も透明であるので、この受け皿４４０や受け皿４４０の裏面も視認でき、不正行為を低減できる。つまり、受け皿４４０自体や受け皿４４０の裏面側に何らかの不正行為物を内在させたとしても、その不正物を目視により発見でき、不正行為を抑止できる。
【０１５６】
また、基板ボックス２６３は、主制御基板２６１ａを収納する空間を備えたボックスベース４１０と、このボックスベース４１０の収納空間を閉じるためのボックスカバー４２０とを備え、ボックスベース４１０は、挿入開口部４１２を備えているので、ボックスベース４１０の挿入開口部４１２と主制御基板２６１ａのコネクタ４００とが硬化材料４３６で硬化された状態においても、この硬化材料４３６に傷をつけることなく、基板ボックス２６３を開封することができる。つまり、主制御基板２６１ａのコネクタ４００が硬化材料４３６で硬化された状態のボックスベース４１０と、ボックスカバー４２０とに分離することができる。
【０１５７】
また、図１３に示すように、コネクタ４００の係止口４０８の高さ位置が、受け皿４４０の高さより上としているので、受け皿４４０に硬化材料４３６が満たされてもこの係止口４０８に硬化材料４３６がまわり込みにくい。また、コネクタ４００の係止口４０８の高さ位置が、ボックスベース４１０の挿入開口部４１２の高さ位置よりも高く露出されていれば、コネクタ４００に挿し込み後の接続ケーブル４３０のコネクタ４３２の取り外し作業が容易となる。
【０１５８】
また、コネクタ４００は、主制御基板２６１ａの電子部品の実装面ＪＭ側で、かつ、その実装電子部品の方に向く方向とは異なる方向（本実施例では、例えば、実装電子部品の方に向く方向とは１８０°反対方向）にコネクタ部４０２の係止口４０８を向けるようにして配設されている。つまり、受け皿４４０の硬化材料４３６が充填される側を主制御基板２６１ａの電子部品に向くようにしてコネクタ４００を主制御基板２６１ａに配設している。言い換えれば、コネクタ４００の係止口４０８には硬化材料４３６が回り込まないため、この係止口４０８が主制御基板２６１ａの電子部品を向くように配設した場合には、この係止口４０８からの不正行為が懸念され、不正対策が十分でないと考えられるが、この係止口４０８を主制御基板２６１ａの電子部品に向く方向とは異なる方向に向くようにしてコネクタ４００を主制御基板２６１ａに配設している、つまり、受け皿４４０の硬化材料４３６が充填される側を主制御基板２６１ａの電子部品に向くようにしてコネクタ４００を配置しているので、係止口４０８が主制御基板２６１ａの電子部品を向くように配設された場合よりも不正対策に優れている。
【実施例２】
【０１５９】
次に、実施例２のパチンコ機１０のさらなる特徴部分の構成について図１５〜図１８を用いて説明する。図１５（ａ）は主制御基板２６１ａの実施例２のコネクタ４５０の平面図、図１５（ｂ）はコネクタ４５０の後面図、図１５（ｃ）はコネクタ４５０の左側面図、図１５（ｄ）はコネクタ４５０の前面図である。図１６（ａ）は主制御基板２６１ａの実施例２のコネクタ４５０の平面図、図１６（ｂ）はコネクタ４５０の後面図、図１６（ｃ）はコネクタ４５０の底面図である。図１７（ａ）は主制御基板２６１ａの実施例２のコネクタ４５０の図１５（ａ）に示したＢ−Ｂ線断面図、図１７（ｂ）はコネクタ４５０に接続ケーブル４３０のコネクタ４３２が挿入された状態を示す概略断面図である。図１８は、実施例２の挿入開口部４１２とコネクタ４５０の受け皿との位置関係を示す図である。
【０１６０】
実施例２のパチンコ機１０は、前述の実施例１のコネクタ４００および挿入開口部４１２に替えて、コネクタ４５０および挿入開口部４６０を採用している点が前述の実施例１とは異なっている。なお、前述の実施例１と同様の内容については、ここでの説明を省略する。
【０１６１】
実施例２の主制御基板２６１ａのコネクタ４５０は、図１５〜図１８に示すように、コネクタ部４０２の外周のうちで係止口４０８の対応する箇所を除く箇所であって係止口４０８よりも他端側の箇所に、コネクタ部４０２の一端側の方に開口した、硬化材料４３６の充填を受ける受け皿４５１を備えている。受け皿４５１は、底面４５２と側壁４５３とを備えた有底器形状としている。
【０１６２】
具体的には、受け皿４５１は、コネクタ４５０の平面視状態において、コネクタ部４０２の外周のうちで係止口４０８が位置する箇所（範囲）を少なくとも除く箇所であって、コネクタ４５０を側面視した状態においてコネクタ部４０２の係止口４０８よりも他端側の箇所に、コネクタ部４０２の一端側（挿入口４０４のある端部側）の方に開口した形状となっている。より詳細に言えば、受け皿４５１は、コネクタ４５０の平面視状態において、コネクタ部４０２の外周四面のうちで係止口４０８がある一面を除く三面の箇所で、かつ、コネクタ４５０を側面視した状態においてコネクタ部４０２の係止口４０８よりも他端側の所定箇所から底面４５２までの箇所に、コネクタ部４０２の一端側の方に開口した形状となっている。
【０１６３】
受け皿４５１を平面視した状態、つまり、受け皿４５１の開口を見た状態において、その外径寸法は例えば縦１７ｍｍ（ミリ）程度で横１４ｍｍ程度の大きさであり、受け皿４５１を側面視した状態において、側壁４５３の高さを３ｍｍ程度としている。
【０１６４】
また、コネクタ部４０２を平面視した状態、つまり、コネクタ部４０２をその挿入口４０４から見た状態において、その外径寸法は例えば縦横ともに７ｍｍ（ミリ）程度の大きさであり、コネクタ部４０２を側面視した状態において、コネクタ部４０２の高さ、つまり、その挿入口４０４から端子部４０６の先端までの長さを１５ｍｍ程度としている。なお、端子部４０６の長さ、つまり、受け皿４４０の底面４４１から端子部４０６の先端までの長さを３ｍｍ程度としている。
【０１６５】
本実施例２のボックスベース４１０は、図１８に示すように、挿入開口部４６０から当該ボックスベース４１０の内部側に突出し、かつ、その突出した先端側が係止口４０８の対応する箇所を除いて受け皿４５１内に位置する突出部４６２を備えている。
【０１６６】
コネクタ部４０２の外周の所定の一面である第１面からその第１面に近い側壁４５３までの距離Ｄ１に比べて、コネクタ部４０２の外周の第１面以外の面である第２面からその第２面に近い側壁４５３までの距離Ｄ２を大きくしたものである。例えば、距離Ｄ１を２ｍｍ、距離Ｄ２を９ｍｍ程度としている。
【０１６７】
ボックスベース４１０は、その挿入開口部４６０を、コネクタ４５０の平面視状態においてコネクタ部４０２の外周よりも大きく、かつ、挿入開口部４６０を受け皿４５１に平行投影したときのこの挿入開口部４６０のうちの当該受け皿４５１上に位置する箇所を、受け皿４５１の側壁４５３内に沿わせた形状としている。
【０１６８】
なお、上述したコネクタ４５０が本発明における接続部品に相当する。
【０１６９】
上述したように、本実施例２のパチンコ機１０によれば、コネクタ４５０は、コネクタ部４０２の外周のうちで係止口４０８の対応する箇所を除く箇所であって係止口４０８よりも他端側の箇所に、コネクタ部４０２の一端側の方に開口した、硬化材料４３６の充填を受ける受け皿４５１を備え、ボックスベース４１０は、挿入開口部４６０から当該ボックスベース４１０の内部側に突出し、かつ、その突出した先端側が係止口４０８の対応する箇所を除いて受け皿４５１内に位置する突出部４６２を備えている。したがって、受け皿４５１には、コネクタ部４０２の係止口４０８の対応する箇所を除いて、硬化材料４３６が充填されるので、硬化材料４３６がコネクタ４５０の係止口４０８（コネクタの付着禁止箇所）に付着することを低減でき、係止口４０８等への硬化材料付着に起因するコネクタの接続不良を低減できる。その結果、ボックスベース４１０の挿入開口部４６０と主制御基板２６１ａのコネクタ４５０との間の隙間を硬化材料４３６で適切に封止でき、主制御基板２６１ａに対する不正対策に優れたパチンコ機を提供することができる。
【０１７０】
また、受け皿４５１は、底面４５２と側壁４５３とを備えた有底器形状とし、コネクタ部４０２の外周の所定の一面である第１面からその第１面に近い側壁４５３までの距離Ｄ１に比べて、コネクタ部４０２の外周の第１面以外の面である第２面からその第２面に近い側壁４５３までの距離Ｄ２を大きくしたものであり、ボックスベース４１０は、その挿入開口部４６０を、コネクタ４５０の平面視状態においてコネクタ部４０２の外周よりも大きく、かつ、挿入開口部４６０を受け皿４５１に平行投影したときのこの挿入開口部４６０のうちの当該受け皿４５１上に位置する箇所を、受け皿４５１の側壁４５３内に沿わせた形状としている。
【０１７１】
したがって、コネクタ部４０２の外周の第２面からその第２面に近い側壁４５３までの間を硬化材料４３６の充填する際の空間（充填空間）として用いることができ、硬化材料４３６が充填し易くできる。また、光の照射面を大きくでき、硬化性に優れる。また、コネクタ部４０２の外周の第２面からその第２面に近い側壁４５３までの間は、コネクタ部４０２の外周の第１面からその第１面に近い側壁４５３までの間に比べて大きくなっているので、硬化材料４３６を受け皿４５１内で広がり易くでき、硬化材料４３６の充填不良を低減できる。また、本実施例２のコネクタ４５０は、粘度の高い硬化材料を充填する場合にも適している。
【０１７２】
この発明は、上記実施形態に限られることはなく、下記のように変形実施することができる。
【０１７３】
（１）上述した各実施例では、制御基板として主制御基板２６１ａを例に挙げて説明してきたが、サブ制御基板２６２ａや表示制御基板や音声ランプ基板など他の制御基板を採用してもよい。
【０１７４】
（２）上述した実施例１において、図１９に示すように、受け皿４４０は、主制御基板２６１ａと対向する面である実装面に、さらに貫通孔４７０を備え、コネクタ４００のコネクタ部４０２の端子部４０６が主制御基板２６１ａのスルーホールＳＨに挿入されてコネクタ４００と主制御基板２６１ａとが当接した状態で、受け皿４４０に硬化材料４３６が充填されて硬化されているようにしてもよい。
【０１７５】
この場合には、図１９に示すように、受け皿４４０の貫通孔４７０の硬化材料４３６は主制御基板２６１ａに接触した状態で硬化しており、この貫通孔４７０の箇所の硬化材料４３６で受け皿４４０を主制御基板２６１ａに固定することができる。つまり、ボックスベース４１０とコネクタ４００とを硬化材料４３６で封止しているその硬化材料４３６をコネクタ４００の主制御基板２６１ａへの固定にも用いることができ、硬化材料４３６を二種の目的に利用でき、硬化材料４３６をより有効活用することができる。
【０１７６】
なお、上述した貫通孔４７０は受け皿４４０の底面４４１の任意の箇所に設けることも可能であるし、貫通孔４７０を複数個設けるようにしてもよい。また、この貫通孔４７０を、上述した実施例２のコネクタ４５０の受け皿４５１の底面４５２の所定箇所に設けるようにしてもよい。
【０１７７】
（３）上述した各実施例では、被対象品として作動口スイッチ２２４を例に挙げて説明してきたが、主制御基板２６１ａと電気的に接続される各種の電気部品を採用してもよい。
【０１７８】
（４）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１７９】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１８０】
以上のように、この発明は、パチンコ機やスロットマシン等の遊技機に適している。
【符号の説明】
【０１８１】
２２４  …作動口スイッチ（被対象品）
２６１ａ…主制御基板（制御基板）
４００  …コネクタ（接続部品）
４０２  …コネクタ部
４０４  …挿入口
４０６  …端子部
４０８  …係止口（係止部）
４１０  …ボックスベース（被包手段、第１ケース）
４１２  …挿入開口部
４１４  …突出部
４２０  …ボックスカバー（被包手段、第２ケース）
４３０  …接続ケーブル
４３２  …コネクタ
４４０  …受け皿
４４３  …隆起部（非充填部）
【図１】
0005382065.tif 000002
【図２】
0005382065.tif 000003
【図３】
0005382065.tif 000004
【図４】
0005382065.tif 000005
【図５】
0005382065.tif 000006
【図６】
0005382065.tif 000007
【図７】
0005382065.tif 000008
【図８】
0005382065.tif 000009
【図９】
0005382065.tif 000010
【図１０】
0005382065.tif 000011
【図１１】
0005382065.tif 000012
【図１２】
0005382065.tif 000013
【図１３】
0005382065.tif 000014
【図１４】
0005382065.tif 000015
【図１５】
0005382065.tif 000016
【図１６】
0005382065.tif 000017
【図１７】
0005382065.tif 000018
【図１８】
0005382065.tif 000019
【図１９】
0005382065.tif 000020